(57)【要約】【課題】盤面１０００Ｃ上の操作部および表示部が火災発生時から放水または放水停止までの流れに沿った操作の順序にしたがって盤面の上方から下方にわたって配置された消火システム制御盤１０００で、回線数が大幅に増加しても、放水する区画の放水区画選択スイッチを容易に視認できるようにする。【解決手段】自動放水モードで火災が発生したときに放水開始するまでの所定時間を計時中に放水する区画の放水区画選択灯を点滅させ、手動放水モードに切り替えても対応する放水区画選択スイッチが操作されるまで、その点滅を維持するようにした。【選択図】  図２
2015223449.tif 000002
【特許請求の範囲】
【請求項１】
火災発生時から放水または放水停止までの流れに沿って盤面上の上方または左方から下方または右方にわたって配置された操作部と、火災感知手段の動作に基いて放水開始するまでの所定時間を計時する放水開始タイマのカウントダウンの後に自動的に該当する区画を消火する自動消火モードと手動操作で選択した区画を消火する手動モードとを選択する放水モード選択手段とを具備し、消火システムを集中制御する消火システム制御盤において、
区画数に応じて二次元マトリクス状に集合配置されて前記火災感知手段の動作に基いて点灯する地区灯と、区画数に応じて二次元マトリクス状に集合配置されて放水区画を選択する放水区画選択スイッチと、前記放水区画選択スイッチに対応して前記放水区画選択スイッチの横に設けられる放水区画選択灯と、を備え、
前記自動放水モードが選択されている場合に火災が発生したとき、前記放水開始タイマのカウントダウン中に放水する区画の前記放水区画選択灯を点滅させ、前記手動放水モードに切り替えて前記カウントダウンを停止させた後であっても対応する前記放水区画選択スイッチが操作されるまで前記点滅を維持することを特徴とする消火システム制御盤。
【請求項２】
請求項１において、前記手動放水モードが選択されているときに前記放水区画選択スイッチが操作されたとき、対応する前記放水区画選択灯は前記点滅と異なる周期で点滅することを特徴とする消火システム制御盤。
【請求項３】
請求項１または２において、前記放水開始タイマのカウントダウン中に点滅する前記放水区画選択灯の点滅周期が、０．５Ｈｚ以上１Ｈｚ以下であることを特徴とする消火システム制御盤。
【請求項４】
請求項２または３において、操作された前記放水区画選択スイッチに対応する前記放水区画選択灯の点滅周期が、前記放水開始タイマのカウントダウン中に点滅する前記放水区画選択灯の点滅周期の半分乃至３分の１程度であることを特徴とする消火システム制御盤。
【請求項５】
請求項１乃至４において、前記放水区画選択灯は、当該区画で放水中は点灯することを特徴とする消火システム制御盤。
【請求項６】
請求項１乃至５において、二次元マトリクス状に集合配置された前記地区灯または前記放水区画選択スイッチは縦方向に２列を超えることを特徴とする消火システム制御盤。
【請求項７】
請求項１乃至６において、前記区画数が２０を超えることを特徴とする消火システム制御盤。
【発明の詳細な説明】
【技術分野】
【０００１】
本発明は、消火システム制御盤に関するものである。
【背景技術】
【０００２】
従来、消火システムにおける弁の開閉等、消火システムを集中制御し、各種表示を行う制御盤として、消火システム制御盤（散水制御盤ともいう）がある。この消火システム制御盤が設けられる消火システムについて図３を使用して説明する。
【０００３】
図３は防火対象物における消火システムのシステム図の一例である。防火対象物である建築物１には自動火災報知設備用の火災感知器２が配設され、２つの防護区画Ａ，Ｂ毎に消火システム専用の火災感知器３と消火装置である固定式ヘッド４が配設される。固定式ヘッド４が接続された配管の基端側には遠隔操作弁５が、さらにその一次側にはポンプや水槽からなる加圧送水装置６が設けられて、遠隔操作弁５の開閉制御機能等を備えた対応する防護区画を目視できる近傍位置に現地操作盤７が設置される。防災センタには火災受信機８、消火システム制御盤１０が設けられ、それぞれ信号線を介して、火災感知器２、消火システム専用の火災感知器３が接続される。消火ポンプ室には、ポンプ制御盤９が加圧送水装置６と共に設置される。消火システム制御盤１０には、信号線を介して、火災受信機８、現地操作盤７およびポンプ制御盤９が接続される。なお、火災感知器の個数や区画の数は、防火対象物によって適宜設定され、固定式ヘッド４以外に放水銃を使用するようにしてもよい。
【０００４】
上記消火システム制御盤には、特許文献１に示すようなものがある。この特許文献１に示される消火システム制御盤１００（図４参照）は、直方体状の筐体から構成されており、正面（前面）には、各種操作部および各種表示部を備えた盤面１００Ｃが形成されている（図５参照）。盤面１００Ｃには上方から順に、（１）表示灯領域２０、（２）放水モード領域３０、（３）放水制御領域４０、（４）その他操作部領域５０と、高さ方向に分けられた４つの領域が設けられ、表示灯領域２０を除いて火災や放水に関する各種操作部が設けられる。また、表示領域２０には火災地区を表示する地区灯２３が、放水制御領域４０には放水区画選択部４４のスイッチが、それぞれマトリクス状に設けられる。地区灯２３と放水区画選択部４４のスイッチは、それぞれのマトリクス状の配置において同じ位置となるように、つまり、マトリクス状の相対位置が同一となるように対応付けられる。盤面１００Ｃに設けられる各種操作部および表示部は、火災発生時から放水、放水停止までの流れに沿って盤面上の上方（上部）から下方（下部）にわたって配置される。さらに、各領域２０、３０、４０、５０に設けられる操作部同士または操作部と表示部との間を、操作の順番を示す矢印部６０で結んで表示する。これにより操作性と視認性がよくなり、火災時には、防災センタの操作員は、盤面の上部から下部にわたって、また、矢印部６０の矢印の先端側に向かって、順々に操作してゆき、確実に消火装置の放水操作を行うことが可能となっている。
【０００５】
しかしながら、防火対象物である建築物が大規模となるなどして、防護区画数が増加すると、配設する消火装置の数が増加するとともに、地区灯２３と放水区画選択部４４のスイッチの数も増加する。例えば、図１、２に示すように、回線数が大幅に増加した消火システム制御盤１０００の盤面１０００Ｃは、従来の表示領域２０に相当する表示領域２００と、従来の放水制御領域４０に相当する放水制御領域４００とが、盤面１０００Ｃにおいて大きな面積を占めるようになる。さらに、火災発生時から放水または放水停止までの流れに沿って、操作部および表示部を盤面１０００Ｃの上方または左方から下方または右方にわたって配置するものであることから、表示領域２００と放水制御領域４００とが離間し、両者の対応を把握し難くなる。地区灯２３と放水区画選択部４４のスイッチはマトリクス状の相対位置が同一となるように対応付けられているが、回線数が多くなるほど、広大な駐車場で駐車位置を見失うことがあるように、その視認性は悪化する。例えば、図２に示すように、放水制御領域４００に設けた放水区画選択部４４０のスイッチと地区灯２３とが、横１列に最多で１０回線分配置され、回線数が増加する度に縦方向の列数を増して配置される場合、縦方向の列数が２を超えると視認性の悪化がはじまる。つまり、図２の場合は２０回線を超えたときに相当する。また、縦方向の列数が増加するほど視認性はさらに悪化する。そして、火災であることが明確に判明して早急に放水するとき、火災感知器が作動した地区とは異なる区画で放水するとき等、手動操作で放水開始しようとする場合がある。しかし、このとき、消火システム制御盤が自動的に連動して消火しようとしていた放水区画を見失う虞が生ずる。
【先行技術文献】
【特許文献】
【０００６】
【特許文献１】特開２０１２−０２００７８号公報
【発明の概要】
【発明が解決しようとする課題】
【０００７】
本発明は上記課題を鑑み、火災発生時から放水または放水停止までの流れに沿って、操作部および表示部を盤面の上方または左方から下方または右方にわたって配置した消火システム制御盤において、火災発生時、火災感知器の火災感知に連動して自動的に放水しようとする区画の放水区画選択スイッチの視認性を向上させることを目的とする。
【課題を解決するための手段】
【０００８】
本発明の消火システム制御盤は、火災発生時から放水または放水停止までの流れに沿って盤面上の上方または左方から下方または右方にわたって配置された操作部と、火災感知器の動作に基いて放水開始するまでの所定時間を計時する放水開始タイマのカウントダウンの後に自動的に該当する区画を消火する自動消火モードと手動操作で選択した区画を消火する手動モードとを選択する放水モード選択手段とを具備し、消火システムを集中制御する消火システム制御盤において、区画数に応じて二次元マトリクス状に集合配置されて火災手段の動作に基いて点灯する地区灯と、区画数に応じて二次元マトリクス状に集合配置されて放水区画を選択する放水区画選択スイッチと、前記放水区画選択スイッチに対応して前記放水区画選択スイッチの横に設けられる放水区画選択灯と、を備え、前記自動放水モードが選択されている場合に火災が発生したとき、前記放水開始タイマのカウントダウン中に放水する区画の前記放水区画選択灯を点滅させ、前記手動放水モードに切り替えて前記カウントダウンを停止させた後であっても対応する前記放水区画選択スイッチが操作されるまで前記点滅を維持することを特徴とするものである。
【発明の効果】
【０００９】
本発明によれば、盤面上に設けられる操作部や表示部が操作の順番にしたがって配置される消火システム制御盤の回線数が大幅に増加しても、火災発生時、火災感知器の火災感知に連動して自動的に放水しようとする区画の放水区画選択スイッチを容易に視認することができる。
【図面の簡単な説明】
【００１０】
【図１】本発明に係る消火システム制御盤の正面図である。
【図２】本発明に係る消火システム制御盤の盤面拡大図である。
【図３】消火システムのシステム図である。
【図４】従来の消火システム制御盤の正面図である。
【図５】従来の消火システム制御盤の盤面拡大図である。
【発明を実施するための形態】
【００１１】
本発明の一実施の形態に係る消火システム制御盤を図１、図２に基いて説明する。なお、この消火システム制御盤は、従来技術で示した図３の消火システムで使用されるものであり、消火システムにおける消火装置や遠隔操作弁を制御すると共に、火災感知器が動作したときに、火災灯を点灯する機能などを備えている。
【００１２】
図１は消火システム制御盤１０００の正面図である。消火システム制御盤１０００は、直方体状の筐体から構成されており、正面（前面）には、各種操作部および各種表示部を備えた盤面１０００Ｃが形成されている。この図１の盤面部分を拡大したものを図２に示す。
【００１３】
図２において、消火システム制御盤１０００の盤面１０００Ｃは、高さ方向において、４つの領域に分けられている。盤面１００Ｃの最上部には、（１）表示灯領域２００が設けられ、その下側には、（２）放水モード領域３００が設けられ、その下側には（３）放水制御領域４００が設けられる。そして、盤面の最下部には、（４）その他操作部領域５００が設けられる。４つの領域２００、３００、４００、５００には、表示灯領域２００を除いて、火災や放水に関する各種操作部が設けられる。また、表示灯領域２００には、火災時に点灯する表示部としての火災灯２１が設けられ、放水制御領域４００には、放水時に点灯する放水中灯４１が設けられる。各領域２００、３００、４００、５００にあるスイッチ等で構成される操作部の左側には、ＬＥＤからなる表示部が設けられ、スイッチの操作時に点灯または点滅するように構成されている。なお、火災灯２１および放水中灯４１は、それぞれ火災時と放水時に点灯するとしたが、点滅するものであってもよい。
【００１４】
この消火システム制御盤１０００の盤面１０００Ｃに設けられる各種操作部は、火災発生時から放水時、正確には、火災発生時から放水、放水停止までの流れに沿って盤面上の上方（上部）から下方（下部）にわたって配置されている。言い換えれば、火災発生時において、操作すべきスイッチ（操作部）から盤面の上方に配置されており、盤面１０００Ｃの下側に行くほど、操作処理において、後で操作すればよいスイッチとなっている。
【００１５】
また、表示部についても、同様に、火災発生時から放水時、正確には、火災発生時から放水、放水停止までの流れに沿って盤面上の上部から下部にわたって配置されている。言い換えれば、火災発生時において、はじめに点灯する表示部から盤面の上部に配置されており、放水中灯４１のように火災発生時において、終わりに点灯する表示部は盤面１０００Ｃの高さ方向の中央より下側に配置されている。
【００１６】
操作部や表示部が、このように配置されるため、火災時において、防災センタの操作員は、盤の上部から下部にわたって順々に操作していくことで、確実に消火装置の放水操作を行うことが可能となっており、操作性および視認性に優れるという効果を奏する。
【００１７】
各領域２００、３００、４００、５００に設けられる操作部同士または操作部と表示部との間は、操作の順番を示す矢印部６０で結んで表示される。矢印部６０は、盤面１０００Ｃ上において、例えば、所定の幅を有した白抜きで表示されるように盤面に印刷したものである。矢印部６０の形状は、矢印に代えて矢形で表示してもよい。火災時における操作手順は、この矢印部６０の矢印の先端側に向かって、処理をすすめればよいようになっている。つまり盤面全体が、あたかもフローチャートのような表示形式となっている。
【００１８】
以下に、図２における表示部と操作部の詳細を領域２００、３００、４００、５００毎に説明する。
【００１９】
（１）表示灯領域２００
表示灯領域２００は、上部のシステム状態表示部と下部の火災発生表示部とから構成される領域である。火災時に点灯する火災灯２１の上部には、システム状態表示部として交流電源灯や故障時に点灯する故障灯などの表示灯をまとめた各種表示灯２２が設けられる。そして、火災発生表示部としての火災灯２１の下部には、火災感知手段である火災感知器２、３の動作に基いて点灯し、各区画の火災状況を示す地区灯２３が設けられる。地区灯２３は、３つの表示灯から構成されており、最上部に区画灯２３Ａ、中央部に自火報灯２３Ｂ、最下部に消火専用灯２３Ｃが設けられる。この地区灯２３は、区画数に応じて二次元マトリクス状に集合配置されて設けられ、図２の場合には、横並びで最多１０設けられており、最多で１０区画（１０回線）に相当するものとなっている。そして、横並びで１０設けられた地区灯２３が２列設けられ、横並びでその半分の長さ、すなわち５設けられた地区灯２３が１列設けられ、全体として２５区画分の地区灯２３が設けられている。
【００２０】
（２）放水モード領域３００
放水モード領域３００の上部には、自動放水モードと手動放水モードを選択する放水モード選択手段である放水モード選択部３１が設けられる。放水モードの選択は、専用の鍵を使用して行われ、その鍵を回すことで、放水モードを選択できる。放水モード選択部３１の右側方には、いずれの放水モードであるかを表示する放水モード表示灯３１Ａが設けられる。通常は、自動放水モードに設定されており、火災時には、自動で遠隔操作弁が開放されて消火水が供給され、消火装置から放水を行えるようになっている。
【００２１】
放水モード選択部３１における表示灯３１Ａの横（右方）には、放水モードの説明書きを記載した領域を介して、音響停止スイッチ３３が設けられる。このように盤面上に説明書きを記載した領域を、対象となる操作部の近傍に設けることで、操作の理解を助けるようにしてある。そして放水モード選択部３１の下側には、自動放水モードの説明を記載したモード説明領域３４が設けられ、その横（右方）であって、音響停止スイッチ３３の下側に放水開始タイマ３５が設けられる。放水開始タイマ３５は、放水が開始されるまでの残り時間をカウント表示するもので、例えば、１８０秒からカウントダウンし、０秒になったときに放水を開始する制御を行う。なお、放水開始タイマ３５の近傍には、必要に応じて「放水開始タイマ３５」の説明書きを記載した領域を設けるようにしてもよい。
【００２２】
放水モード選択部３１とモード説明領域３４との間には、モード説明領域３４側に向かって垂直方向に矢印が伸びる下向きの第１の矢印部６０Ａが表示される。この第１の矢印部６０Ａは、その後端が左下方に位置する地区灯２３の表示枠部分に接しており、地区灯２３からモード説明領域３４まで伸びる矢印となっている。放水モード選択部３１と放水開始タイマ３５との間には、放水開始タイマ３５側に向かって水平方向に矢印が伸びる横向きの第２の矢印部６０Ｂが表示される。この第２の矢印部６０Ｂは、第１の矢印部６０Ａの途中から分岐している。このように、放水モード領域３００においては、操作手順（操作の順番）を示すために、矢印部としての第１の矢印部６０Ａと、第２の矢印部６０Ｂとが盤面１０００Ｃ上に表示されている。
【００２３】
（３）放水制御領域４００
放水制御領域４００には、放水時に点灯して放水中であることを示す放水中灯４１が設けられる。放水中灯４１は、横長の矩形領域で形成され、火災灯２１とほぼ同じ長さであり、視認性をよくしてある。放水中灯４１の横（左方）には、放水を開始させる放水開始スイッチ４２が設けられ、また放水中灯４１の下には、放水を停止させる放水停止スイッチ４３が設けられる。
【００２４】
放水開始スイッチ４２および放水中灯４１の上側には、放水区画を選択する区画選択部４４０が設けられ、地区灯２３と同様に、区画数に応じて区画選択スイッチが二次元マトリクス状に集合配置されて設けられる。本実施例では、区画数が２５のため、区画選択部４４０は、放水区画選択スイッチが横並びで最多１０設けられており、最多で１０区画（１０回線）に相当するものとなっている。そして、横並びで１０設けられた区画選択スイッチが２列設けられ、横並びでその半分の長さ、すなわち５設けられた区画選択スイッチが１列設けられ、全体として２５区画分の区画選択スイッチが設けられている。また、区画選択スイッチの横には対応する区画選択灯が設けられる。この放水区画選択スイッチを操作することで、放水制御する権限である操作権を取得でき、スイッチの操作があれば、消火システム制御盤１０００側に操作権があることを示す表示灯が点灯する。逆に現地操作盤７（図３参照）で放水区画選択スイッチの操作があれば、現地操作盤７側に操作権があることを示す表示灯を点灯させる。なお、この操作権を示す表示灯は、区画選択部４４０の領域内の右上部にそれぞれ設けられる。
【００２５】
モード説明領域３４と区画選択部４４０との間には、区画選択部４４０側に向かって垂直方向に矢印が伸びる下向きの第３の矢印部６０Ｃが表示される。また、区画選択部４４０と放水開始スイッチ４２との間には、放水開始スイッチ４２側に向かって垂直方向に下がった後に右方へ向きを変えて矢印が伸びる先端が右向きの第４の矢印部６０Ｄが表示される。また、放水開始スイッチ４２と放水中灯４１との間には、放水中灯４１側に向かって水平方向に矢印が伸びる横向き（右向き）の第５の矢印部６０Ｅが表示される。また、放水開始タイマ３５と放水中灯４１との間には、放水中灯４１側に向かって、まず右方へ伸びた後に垂直方向（下方）に向きを変え、さらに左方に向きを変えて複数の連続した矢印が伸び、その終端部分の先端が左向きの第６の矢印部６０Ｆが表示される。そして、放水中灯４１と放水停止スイッチ４３との間には、垂直方向に放水停止スイッチ４３側に向かって矢印が伸びる下向きの第７の矢印部６０Ｇが表示される。
【００２６】
このように操作手順（操作の順番）を示すために、矢印部６０は、７つの矢印部６０Ａ〜６０Ｇによって構成されているが、必ずしも全ての矢印部６０が必要というわけではない。いずれか一部分だけに矢印部６０を設けるようにしたものであってもよい。また、矢印部６０は操作の順番を表示するものであるが、表示の順番を表示するものとしても使用される。また、矢印部６０は、１本の矢印とは限らず、複数の連続する矢印としてもよい。また、矢印に代えて矢形としてもよい。
【００２７】
（４）その他操作部領域５００（保守操作部領域）
その他操作部領域５００には、遮断用スイッチ５１、試験用スイッチ５２、復旧スイッチ５３、電話ジャック５４が設けられる。図示はしないが、放水停止スイッチ４３と復旧スイッチ５３との間に矢印部（図示せず）を表示するようにしてもよい。
【００２８】
本実施形態においては、火災灯２１、放水中灯４１、放水開始作動中灯３５Ａ、地区灯２３およびスイッチの横にあるＬＥＤなどが表示部の一例である。また、放水モード選択部３１、音響停止スイッチ３３、放水区画選択部４４０、放水開始スイッチ４２、放水停止スイッチ４３および復旧スイッチ５３などが操作部の一例である。
【００２９】
次に、この消火システム制御盤１０００における火災時の放水処理の操作手順について説明する。防火対象物である建築物１において火災が発生すると、まず自火報用の火災感知器２が火災を検知して、火災信号を火災受信機８に出力する。火災受信機８は、この火災信号を消火システム制御盤１０００に移報する。消火システム制御盤１０００で、火災信号を受信すると、火災が発生した区画における自火報灯２３Ｂが点灯する。
【００３０】
続いて、消火システム専用の火災感知器３が動作（発報）すると、消火専用灯２３Ｃが点灯する。消火システム制御盤１０００では、同じ区画にある自火報用の火災感知器２と消火システム専用の火災感知器３が発報すると、区画灯２３Ａを点灯させると共に、火災灯２１を点灯させる。防災センタの操作員は、区画灯２３Ａと火災灯２１の点灯により、建築物１で火災が発生したことを認識する。この際、消火システム制御盤１０００からは火災警報が音響装置より出力され、音響停止スイッチ３３を押すことで火災警報の音響を停止できる。なお、この後、引き続き別の区画でも火災が発生した場合には、該当する区画の区画灯２３Ａが点滅表示となって、どの区画で第２報が発生したかがわかるようになっている。また、このときに、停止中の火災警報の音響を再鳴動させるようにしてもよい。
【００３１】
区画灯２３Ａの点灯に伴い、矢印部６０Ａを見ることで、次の操作として、放水モードを操作すればいいことが理解できる。消火システム制御盤１０００が自動放水モードに設定されている場合において、火災が発生したことが確定すると、放水開始タイマ３５が１８０秒の状態からカウントダウン表示をする。このとき、放水モード選択部３１にある放水モード表示灯３１Ａの「自動放水」の部分が点灯している。
【００３２】
ここで、矢印部６０Ａ、矢印部６０Ｂおよび矢印部６０Ｃの矢印側を見ることで、モード説明領域３４の内容を読んで、手動放水モードを選択するかを検討でき、また放水開始タイマ３５でカウントダウンがはじまったことを認識することができる。放水開始タイマ３５のカウントダウン中は「放水開始タイマ作動中」灯３５Ａが点滅する。放水開始タイマ３５のカウントがカウントダウンし、カウントが０になると、放水を開始する。放水開始タイマ３５のカウントダウン中、自動で選択された放水区画に該当する区画選択部４４０のスイッチの横に設けた表示灯（放水区画選択灯）を点滅させる。すなわち、自動放水モードで放水を予告している区画の放水区画選択灯を点滅表示させる。また、その状態で手動放水モードが選択された場合でも、自動放水モードで放水タイマ３５のカウントダウン中に放水を予告していた区画の放水区画選択灯の点滅表示は、対応する区画選択スイッチが操作されるまで、そのまま点滅表示させておく。換言すれば、自動放水モードが選択されているときに火災が発生したとき、放水開始するまでの所定時間を計時する放水開始タイマ３５のカウントダウン中に放水する区画の放水区画選択灯を点滅させ、手動放水モードに切り替えて放水開始タイマ３５のカウントダウンを停止させた後、対応する放水区画選択スイッチが操作されるまで放水区画選択灯の点滅を維持する。これにより、自動放水モードで放水タイマ３５のカウントダウン中に放水を予告していた区画（火災感知器の火災感知に連動して自動的に放水しようとする区画）の放水区画選択灯に対応する放水区画選択スイッチを明確に視認することができる。そして、手動放水モードを選択し、直ちに点滅表示に対応する放水区画選択スイッチを選択することができる。
【００３３】
放水開始タイマ３５のカウントダウン中に、直ちに放水を行いたい場合には、放水モード選択部３１を手動放水モードに切り替える。この操作により、放水開始タイマ３５は、一時停止するので、区画選択部４４０により、放水したい区画を選択し、放水開始スイッチ４２を押す。自動放水モードで放水タイマ３５のカウントダウン中に放水を予告していた区画に放水する場合は、点滅中の放水区画選択灯に対応する放水区画選択スイッチを選択して、放水開始スイッチ４２を押せばよい。この操作により、対象となる区画に放水をすることが可能となる。このとき、区画選択部４４０のスイッチ操作により、操作されたスイッチに対応する放水区画選択灯を、上記点滅と異なる周期で点滅させる。例えば、前述したように火災感知器の火災感知に連動して自動的に放水しようとしている段階では、放水しようとしている放水区画選択灯を遅い周期、例えば０．５〜１Ｈｚで点滅させ、手動で放水する際に対応する放水区画選択スイッチを明確に視認できるようにする。また、手動放水モードで放水区画選択スイッチが操作された場合は、操作された放水区画選択スイッチの横の放水区画選択灯を上記周期よりも速い周期、例えば上記周期の半分乃至３分の１程度で点滅させて、上記点滅と区別する。
【００３４】
なお、現地操作盤７で、同様な操作によって、放水を行うことが可能である。この場合には、現地操作盤７にある図示しないタイマ停止スイッチを操作して放水開始タイマ３５の停止を行う。
【００３５】
放水開始タイマ３５のタイマの値が０になると、対象となる区画の遠隔操作弁５が開放すると共に、ポンプ制御盤９により、加圧送水装置６が起動され、その結果、火災が発生した区画において放水銃などから放水が行われ火災を消火する。この遠隔操作弁５の開放制御が行われると、放水中灯４１が点灯する。防災センタの操作員は、放水開始タイマ３５が０になったとき、矢印部６０Ｆの先端に案内されて、放水中灯４１を見るので、放水が行われていることを認識できる。なお、手動放水モードの場合には、矢印部６０Ｄ、６０Ｅに案内されて、放水中灯４１の点灯を認識することが可能となる。
【００３６】
火災が完全に消火されたことを確認したら、矢印部６０Ｇの先端にある放水停止スイッチ４３を操作して、遠隔操作弁５を閉止制御して、消火水の供給を停止する。ここで、放水中灯４３は消灯される。また復旧スイッチ５３を押すことで、火災灯２１、区画灯２３Ａ、消火専用灯２３Ｃも消灯される。自火報灯２３Ｂについては、火災受信機８から出力がなくなったときに消灯する。
【００３７】
このように、本発明によれば、消火システム制御盤１０００の盤面１０００Ｃ上に設けられる操作部および表示部が、火災発生時から放水または放水停止までの流れに沿った操作の順序にしたがって、盤面１０００Ｃの上方から下方にわたって配置された消火システム制御盤の回線数が大幅に増加しても、火災発生時、火災感知器の火災感知に連動して自動的に放水しようとする区画の放水区画選択灯が点滅するので、対応する放水区画選択スイッチを容易に視認することができる。
【００３８】
本発明は以上説明した通りであるが、以下のようにすることも可能である。
（１）矢印部は、単なる白抜きの印刷表示としたが、矢印部の輪郭内にＬＥＤなどの発光体を設けて、次に操作する操作部への流れを示す矢印部だけを点滅表示させるようにして、操作の案内機能を高めるようにしてもよい。また、矢印部の形状を矢印に代えて矢形としてもよい。
（２）操作スイッチの横に位置する表示灯は、点滅周期を変えて点滅表示させるようにしてもよい。例えば、放水区画選択灯は、火災感知器の火災感知に連動して自動的に放水しようとしているとき（放水予告中）には０．５〜１Ｈｚで点滅させ、放水制御中には、放水予告中の点滅周期の半分乃至３分の１程度の周期で点滅させ、明確に区別できるようにする。また、放水中には常時点灯させるようにしてもよい。このようにすることで視認性が向上し、状況を把握し易くなり、操作性も向上する。
【００３９】
また、火災発生時において、複数の区画で火災が起きた場合には、区画等の点灯・点滅具合で、火災発生の順序が認識できるようにしてもよい。例えば、最も早く火災が発生した区画の区画灯は常時点灯、２番目に火災が起きた区画の区画灯は、早い周期で点滅、３番目に火災が起きた区画の区画灯は、遅い周期で点滅させるようにすればよい。一例として、火災発生を示す区画灯を、第１報目の区画は常時点灯させ、第２報目の区画は２Ｈｚで点滅させ、第３報目の区画は１Ｈｚで点滅させるようにしてもよい。このようにすると、火災が複数の箇所で発生した場合に、火災が発生した順番を認識することが可能となる。
【００４０】
本発明の実施形態の表示部は、操作の順番にしたがうように、盤面上の上部から下部にわたって配置されているが、これに限定するものではなく、例えば、左方（左方向）から右方（右方向）にわたって配置するようにしてもよい。
【符号の説明】
【００４１】
１０００…消火システム制御盤、１０００Ｃ…盤面、２００…表示灯領域、２１…火災灯、２３…地区灯、３００…放水モード領域、３１…放水モード選択部、３５…放水開始タイマ、４００…放水制御領域、４１…放水中灯、４２…放水開始スイッチ、４３…放水停止スイッチ、４４０…放水区画選択部、５００…その他操作部領域、５３…復旧スイッチ、６０…矢印部
【図１】
2015223449.tif 000003
【図２】
2015223449.tif 000004
【図３】
2015223449.tif 000005
【図４】
2015223449.tif 000006
【図５】
2015223449.tif 000007